(57)【要約】【課題】ループ形状のバルブを備え、消灯状態で長時間暗所に保管した後における始動性が良く、且つバルブの外観上の発光部分の光束の低下や発光色のムラが生じるのを防止した無電極放電灯およびこれを用いた照明器具を提供することにある。【解決手段】無電極放電灯は、透光性材料により形成され内部に亜鉛と水銀とからなるアマルガム（図示せず）と放電ガスとが封入されたループ形状のバルブ１と、バルブ１の一部を覆う形で配置され磁性材料で形成されたフェライトコア２，２と、フェライトコア２の少なくとも一部に巻回され高周波電流が通電されることによりバルブ１内部に高周波電磁界を発生させる誘導コイル３とを備える。そして、バルブ１のうちフェライトコア２，２に覆われる部位の内壁に長残光性蛍光体層１３ｂが形成されている。【選択図】図１
2009205880.tif 000002
【特許請求の範囲】
【請求項１】
透光性材料により形成され内部に放電ガスが封入されたループ形状のバルブと、バルブの一部を覆う形で配置され磁性材料で形成されたフェライトコアと、フェライトコアの少なくとも一部に巻回され高周波電流が通電されることによりバルブ内部に高周波電磁界を発生させる誘導コイルとを備え、バルブ内部に発生した高周波電磁界により放電ガスを励起発光させるものであって、バルブのうちフェライトコアに覆われる部位の内壁に長残光性蛍光体層が形成されてなることを特徴とする無電極放電灯。
【請求項２】
前記バルブは、２つの前記フェライトコアに覆われる部位によって放電路の長い領域と放電路の短い領域に区分けされ、前記長残光性蛍光体層が前記フェライトコアに覆われる部位の内壁と放電路の短い領域の内壁とに跨って形成されてなることを特徴とする請求項１記載の無電極放電灯。
【請求項３】
請求項１または請求項２記載の無電極放電灯を備えた照明器具。 
【発明の詳細な説明】
【技術分野】
【０００１】
本発明は、照明用途や紫外線殺菌用途などに用いられる無電極放電灯およびこれを用いた照明器具に関するものである。
【背景技術】
【０００２】
従来から、ループ形状に形成され内部に放電ガスが封入されたバルブを備えた無電極放電灯が提案されており（特許文献１，２参照）、また、この種の無電極放電灯を用いた照明器具が一般的に知られている。ここにおいて、無電極放電灯は、バルブ内に水銀蒸気とアルゴンやクリプトンなどの希ガスが封入され、バルブ内に発生した高周波電磁界により水銀蒸気を励起して発光させるものである。上述の無電極放電灯を備えた無電極放電灯装置では、バルブの２箇所にバルブの側壁を取り囲む２つのリング状のフェライトコアが装着され、各フェライトコアそれぞれには誘導コイルが巻回されている。また、各誘導コイルには、高周波電源を備えた点灯回路から高周波電流が供給される。
【０００３】
上述の無電極放電灯装置では、各誘導コイルに数百ｋＨｚ程度の高周波電流が通電されると電磁誘導によって無電極放電灯のバルブ内に電界が発生し、当該電界がバルブ内に封入された放電ガスに作用して放電ガスに含まれる水銀蒸気が励起されて紫外線を発生する。ここで、バルブの内壁に蛍光体が塗布されている場合は、発生した紫外線がバルブの内壁に塗布された蛍光体に照射され可視光に変換されるので、無電極蛍光ランプとして使用することができる。一方、バルブが紫外線透過率の高いガラスで形成されその内壁に蛍光体が塗布されていない場合は、無電極紫外線ランプとして使用することができる。これらの無電極放電灯では、バルブ内に短寿命化の要因となる電極が存在しないので長寿命化が図れる。
【０００４】
一般に、無電極放電灯は、消灯状態で長時間暗所に保管した後では、始動が遅れたり、或いは始動しなかったりすることがある。これは無電極放電灯のバルブ内の初期電子の不足により生じている。一般の有電極の蛍光灯の場合、消灯状態で長時間暗所に保管した後における始動性（以下、暗黒始動性という）を向上させる方法として、電極を予熱して初期電子を発生させる方法を採用することができるが、無電極放電灯の場合、バルブ内に電極が存在しないため、前記方法を採用することができない。従って、無電極放電灯では、有電極の蛍光灯とは異なる方法で暗黒始動性を向上させることが必要になる。
【０００５】
ここで、Ｕ字状のバルブの内壁全体に、長残光性蛍光体（例えば、ユーロピウム、ディスプロシウム共付活アルミン酸ストロンチウム蛍光体（ＳｒＡｌ２Ｏ３：Ｅｕ，ＤｙまたはＳｒ４Ａｌ１４Ｏ２５：Ｅｕ，Ｄｙ）を塗布することにより暗黒始動性を向上させた蛍光ランプが提案されている（特許文献３）。当該長残光性蛍光体は、通常使用される蛍光体、例えば、赤色蛍光体（Ｙ２Ｏ３：Ｅｕ３＋）、緑色蛍光体（ＬａＰＯ４：Ｃｅ３＋，Ｔｂ３＋）、青色蛍光体（ＢａＭｇ２Ａｌ１６Ｏ２７：Ｅｕ２＋）等の蛍光体と比較して残光時間が非常に長く、通常使用される蛍光体では、消灯直後から発光強度が点灯時の１／１０になるまでの時間が数十ｍｓｅｃであるのに対して長残光性蛍光体では、当該時間が数十分以上である。
【０００６】
ところが、上述の長残光性蛍光体は、通常使用される蛍光体に比べて一般的に発光効率が低く、無電極放電灯の内壁全体に塗布して使用すると光束が低下する。また、長残光性蛍光体の発光色は、前記通常使用される蛍光体の発光色と異なるため、例えば、バルブの外観上の発光部分の一部の内壁に塗布する形で使用するとバルブの外観上の発光部分において長残光性蛍光体が塗布された箇所と前記蛍光体が塗布された箇所とで発光色が異なりムラが生じることがあった。
【０００７】
上述のようなバルブの外観上の発光部分における発光色にムラが生じるのを防止した無電極放電灯として、図６に示すような無電極放電灯１００’が提案されている（特許文献４参照）。ここにおいて、図６に示す構成の無電極放電灯１００’は、球形のバルブ１’の下部に開口部（図示せず）が形成され、当該開口部からバルブ１’内部にバルブ１’の開口部で連続する円筒状管材２’が突出している。また、円筒状管材２’の外周壁には、アルミナ（Ａｌ２Ｏ３）からなる反射膜９’が形成され、当該反射膜９’の上には、上述の長残光性蛍光体からなる長残光性蛍光体層１０’が形成されている、また、バルブ１’の内壁のうち円筒状管体２’以外の部分には、上述の通常使用される蛍光体からなる蛍光体層５’が形成されている。しかして、無電極放電灯１００’では、長残光性蛍光体層１０’がバルブ１’内部の円筒状管体２’の外周壁のみに形成され、且つ円筒状管材２’以外の部分、つまり、バルブ１’のうち外観上の発光部分となる部分には、長残光性蛍光体を塗布した部分を形成しないので、暗黒始動性を向上させつつ、バルブ１’の外観上の発光部分に発光色のムラが生じるのを防止している。
【０００８】
また、暗黒始動性を向上させるための方法として、上述のように長残光性蛍光体を用いる方法の他に暗所始動用補助材を金属メッシュなどに塗布したものをバルブ内に配置する方法がある（特許文献５参照）。
【特許文献１】特表平１０−５１１８０６号公報
【特許文献２】特開平１１−１９１３９８号公報
【特許文献３】特開平１１−１１１０２８号公報
【特許文献４】特開２００４−２３４９４５号公報
【特許文献５】特開２００４−０７９４４４号公報
【発明の開示】
【発明が解決しようとする課題】
【０００９】
しかしながら、ループ形状のバルブを備えた無電極放電灯では、図６に示す無電極放電灯１００’のバルブ１’内部に突出し外観上の発光部分とはならない円筒状管体２’を形成することが困難である。
【００１０】
また、ループ形状のバルブを備えた無電極放電灯では、特許文献５に記載の無電極放電灯のように、金属メッシュをバルブ内に配置することは構造上困難である。また、当該金属メッシュを保持する構造を内部に形成する場合には、バルブの作製工程に複雑な工程を追加する必要があり、無電極放電灯の製造コストの観点から非常に不利である。
【００１１】
本願発明は、上記事由に鑑みてなされたものであり、その目的は、ループ形状のバルブを備え、消灯状態で長時間、暗所に保管した後における始動性が良く、且つバルブの外観上の発光部分の光束の低下や発光色のムラが生じることを防止した無電極放電灯およびこれを用いた照明器具を提供することにある。
【課題を解決するための手段】
【００１２】
請求項１の発明は、透光性材料により形成され内部に放電ガスが封入されたループ形状のバルブと、バルブの一部を覆う形で配置され磁性材料で形成されたフェライトコアと、フェライトコアの少なくとも一部に巻回され高周波電流が通電されることによりバルブ内部に高周波電磁界を発生させる誘導コイルとを備え、バルブ内部に発生した高周波電磁界により放電ガスを励起発光させるものであって、バルブのうちフェライトコアに覆われる部位の内壁に長残光性蛍光体層が形成されてなることを特徴とする。
【００１３】
この発明によれば、ループ形状のバルブと、バルブの一部を覆う形で配置され磁性材料で形成されたフェライトコアとを備え、バルブのうちフェライトコアに覆われる部位の内壁に長残光性蛍光体層が形成されているので、消灯状態で長時間、暗所に保管した後における始動性を向上させることができ、且つバルブの外観上の発光部分の光束の低下や発光色のムラが生じるのを防止することができる。
【００１４】
請求項２の発明は、請求項１の発明において、前記バルブは、２つの前記フェライトコアに覆われる部位によって放電路の長い領域と放電路の短い領域に区分けされ、前記長残光性蛍光体層が前記フェライトコアに覆われる部位の内壁と放電路の短い領域の内壁とに跨って形成されてなることを特徴とする。
【００１５】
この発明によれば、バルブのうち前記フェライトコアに覆われる部位以外の放電路の短い領域の内壁にも前記長残光性蛍光体層が形成されているので、消灯状態で長時間、暗所に保管した後における始動性をより向上させることができる。また、前記バルブには、前記長残光性蛍光体層が前記フェライトコアに覆われる部位の内壁と放電路の短い領域の内壁とに跨って形成されてなるので、前記バルブ内に前記長残光性蛍光体層が形成された部位を複数設ける必要がない分、前記バルブの構造は簡単となり製造工程を簡略化することができコストを低減できる。
【００１６】
請求項３の発明は、請求項１または請求項２に記載の無電極放電灯を備えたことを特徴とする。
【００１７】
この発明によれば、ループ形状のバルブを備えつつ、消灯状態で長時間暗所に保管した後における始動性が良く、且つバルブの外観上の発光部分の光束の低下や発光色のムラが生じるのを防止した無電極放電灯を備えた照明器具を提供することができる。
【発明の効果】
【００１８】
請求項１の発明によれば、ループ形状のバルブを備えた無電極放電灯において、消灯状態で長時間暗所に保管した後における始動性を向上させることができるという効果がある。
【００１９】
請求項３の発明によれば、ループ形状のバルブを備えた無電極放電灯を備えた照明器具において、消灯状態で長時間暗所に保管した後における始動性を向上させることができるという効果がある。
【発明を実施するための最良の形態】
【００２０】
（実施形態１）
以下、本実施形態の無電極放電灯について図１〜図３に基づいて説明する。
【００２１】
本実施形態の無電極放電灯は、図１（ａ）に示すように、透光性材料であるパイレックス（登録商標）ガラスで形成され内部に放電ガスが封入されたループ形状のバルブ１と、バルブ１の一部を覆う形で配置され磁性材料で形成された２つのフェライトコア２，２と、各フェライトコア２の一部に巻回され後述の点灯装置４から高周波電流が通電されることによりバルブ１内部に高周波電磁界を発生させる２つの誘導コイル３，３とを備え、バルブ１内部に発生した高周波電磁界を放電ガスに作用して放電ガスを励起発光させるものであり、ループ形状のバルブ１に沿って放電路が形成される。また、バルブ１の内部には、発光材料（紫外線発光材料）である亜鉛と水銀とからなるアマルガム（図示せず）が封入されている。なお、バルブ１の一部を覆う形で配置されるフェライトコア２は２個に限定されるものではない。
【００２２】
図１（ｃ）に示す構成のバルブ１は、次の手順で作製される。まず、パイレックス（登録商標）ガラス製の管材を曲げ加工によりＵ字状に形成してなる第１の管体１ａおよび第２の管体１ｂを作製する。次に、第１の管体１ａおよび第２の管体１ｂの内壁に通常の白色発光用の蛍光体よりなる蛍光体層を形成し、第１の管体１ａおよび第２の管体１ｂの接合部付近にのみ後述の長残光性蛍光体よりなる長残光性蛍光体層を形成する（図１（ｂ）参照）。そして、ガスバーナーによる溶着加工によって第１の管体１ａと第２の管体１ｂとを接合することによりバルブ１が作製される。
【００２３】
ここで、上述の長残光性蛍光体として、青緑色に発光するユーロピウム、ディスプロディウム共付活アルミン酸ストロンチウム蛍光体（Ｓｒ４Ａｌ１４Ｏ２５：Ｅｕ，Ｄｙ）を含む蛍光体が用いられている。なお、長残光性蛍光体としては、前記のものに限定されるものではない。このような長残光性蛍光体は、上述の通常使用される蛍光体と比較して残光時間が非常に長く、上述の通常使用される蛍光体では、消灯直後から発光強度が点灯時の１／１０に減衰するまでの時間が数十ｍｓｅｃであるのに対して、長残光性蛍光体では、同時間が数十ｍｉｎと桁違いに長い。
【００２４】
また、第１の管体１ａは、直径３８ｍｍ、長さ４７０ｍｍのパイレックス（登録商標）ガラス管をＵ字状に曲成してなるものであり、第２の管体１ｂは、直径３８ｍｍ、長さ８０ｍｍのパイレックス（登録商標）ガラス管をＵ字状に曲成してなるものである。ここで、第２の管体１ｂの中央部には、排気管１４ｂが接続されている。排気管１４ｂは、上述の放電ガスを導入した後に細管と第２の管体１ｂとの接続部分から規定長だけを残して封じ切られる。また、排気管１４ｂは、バルブ１の最冷点でもあり、排気管１４ｂの温度を一定に保持することによりバルブ１内部の水銀蒸気圧の変動を抑制することができる。なお、第１の管体１ａと第２の管体１ｂに使用されるガラス管の寸法は上述の値に限定されるものではない。また、バルブ１内に水銀の含有量が１０ｍｇである亜鉛と水銀とからなるアマルガム（図示せず）と、放電ガスであるアルゴンガスを約１３３Ｐａ（約１．０ｔｏｒｒ）とを封入することで、バルブ１内の水銀蒸気が励起されたときに発する紫外線の発生量が最大となるようにしてある。
【００２５】
第１の管体１ａおよび第２の管体１ｂそれぞれの内壁において両開口端から１０ｍｍ奥側の部位までの間には、ガスバーナーによる溶着加工のために蛍光体層１２ａ，１２ｂを剥離した剥離部１１ａ，１１ｂが形成されている。ここで、第２の管体１ｂの内壁において、剥離部１１ｂにおける第２の管体１ｂの両開口端とは反対側の端部から管軸方向に１０ｍｍ奥側の部位までの間には、上述の長残光性蛍光体を塗布してなる長残光性蛍光体層１３ｂが形成されている。なお、剥離部１１ａ，１１ｂの寸法および長残光性蛍光体層１３ｂが形成された部位の寸法は上述の寸法に限定されるものではない。
【００２６】
フェライトコア２は、内径４２ｍｍ、外径７２ｍｍで幅３３ｍｍの円環状に形成されている。また、フェライトコア２の内側には、バルブ１が挿通されている。また、フェライトコア２の一部には、誘導コイル３が巻回されている。また、各フェライトコア２は、バルブ１における第１の管体１ａの剥離部１１ａ、第２の管体１ｂの剥離部１１ｂ、および長残光性蛍光体層１３ｂが形成された部位を覆うように配置される。なお、フェライトコア２の寸法は、挿通されるバルブ１の外径に適合するものであれば、上述の寸法に限定されるものではない。
【００２７】
また、２つのフェライトコア２，２は、一部に誘導コイル３が巻回されている。なお、誘導コイル３は、高周波電流を出力する点灯装置４の出力端間に並列に接続されており、点灯装置４から誘導コイル３に高周波電流が通電されると無電極放電灯が点灯する。
【００２８】
ところで、無電極放電灯では、一般に始動の際にバルブ１内部における誘導コイル３付近に始動を補助する電子が放出されている必要がある。これに対して、本実施形態の無電極放電灯では、バルブ１の内壁のうち誘導コイル３付近に上述の長残光性蛍光体層１３ｂが形成されており、長残光性蛍光体層１３ｂからの残光による光電効果によって電子の放出が促されるので、消灯状態で長時間、暗所に保管した後であっても、誘導コイル３付近に始動を補助する電子を放出させることができる。実際、図１に示す構成の無電極放電灯において点灯実験を行った結果、消灯状態で暗所に２４時間保管した後における暗所での始動性は、長残光性蛍光体層１３ｂが形成されていない無電極放電灯に比べて改善されていることが確認できている。
【００２９】
また、本実施形態の無電極放電灯では、バルブ１の外観上の発光部分の光束や発光色のムラは、長残光性蛍光体層１３ｂが一部に形成されているか否かに関わらずほぼ同じであることが確認できており、長残光性蛍光体層１３ｂを設けたことによる発光特性の劣化は発生しなかった。
【００３０】
しかして、本実施形態の無電極放電灯では、消灯状態で長時間、暗所に保管した後における暗所での始動性を向上させることができる。また、長残光性蛍光体層１３ｂが形成された部位全体がフェライトコア２，２で覆われているので、バルブ１の外観上の発光部分の光束の低下や発光色のムラが生じることを防止することができる。
【００３１】
なお、図１に示した構成の無電極放電灯では、バルブ１における長残光性蛍光体層１３ｂが形成された部位は、全体をフェライトコア２に覆われているが、必ずしも長残光性蛍光体層１３ｂが形成された部位の全体を覆う必要はなく、バルブ１の外観上の発光部分における光束の低下や発光色のムラに影響を与えない限り、フェライトコア２に覆われる部位からはみ出していてもよい。また、図１に示す構成の無電極放電灯は、２つフェライトコア２，２がバルブ１の長手方向の片側の部位に配置されているが、２つのフェライトコア２，２が配置される位置はこれに限定されるものではない。例えば、バルブ１が、図２（ｂ）に示すように、同じ大きさの第１の管体１ａと第２の管体１ｂとから構成され、第１の管体１ａの両端部に剥離部１１ａと長残光性蛍光体層１３ａが形成された部位が設けられ、第２の管体１ｂの両端部に剥離部１１ｂと長残光性蛍光体層１３ｂが形成された部位が設けられてなるものであって、図２（ａ）に示すように、２つのフェライトコア２，２を、バルブ１の長手方向の中央部に配置するものであってもよい。更に、バルブ１が、図３（ｂ）に示すように、コ字状の第１の管体１ａと第２の管体１ｂとから構成され、第１の管体１ａの両端部に剥離部１１ｃと長残光性蛍光体層１３ｃが形成された部位が設けられ、第２の管体１ｂの両端部に剥離部１１ｄと長残光性蛍光体層１３ｄが形成された部位が設けられ、更に、第１の管体１ａには排気管１４ｂが接続されてなるものであって、図３（ａ）に示すように、２つのフェライトコア２，２を、バルブ１の長手方向の両端部それぞれに配置するものであってもよい。
【００３２】
上述の無電極放電灯では、内壁に通常使用される蛍光体からなる蛍光体層１２ａ，１２ｂが形成されたバルブ１を備えることにより、蛍光ランプとして使用することができる無電極放電灯について説明したが、例えば、紫外線透過率の高いガラスで形成されたバルブ１を備え、バルブ１の内壁に蛍光体層が形成されてないものであって、紫外線ランプとして使用することができる無電極放電灯についても同様の効果が得られる。
【００３３】
（実施形態２）
以下、本実施形態の無電極放電灯について図４に基づいて説明する。また、実施形態１と同様の構成要素については同一の符号を付して説明を省略する。
【００３４】
本実施形態の無電極放電灯のバルブ１は、図１（ａ）に示すように、バルブ１のうち２つのフェライトコア２，２に覆われた部位によって第１の管体１ａに相当する領域である放電路の長い領域と第２の管体１ｂに相当する領域である放電路の短い領域とに区分けされている。ここで、フェライトコア２，２に覆われる部位のうち剥離部１１ｂ以外の部位の内壁から上述の放電路の短い領域の内壁に跨って長残光性蛍光体層１３ｂが形成されている。つまり、バルブ１は、図４（ａ）に示すように、第２の管体１ｂに相当する領域のうち剥離部１１ｂ以外の領域の内壁全体に上述の長残光性蛍光体層１３ｂが形成されている。従って、図１（ｂ）（ｃ）に示すように、第２の管体１ｂの内壁において蛍光体層１２ｂが形成された部位と、長残光性蛍光体層１３ｂが形成された２つの部位とを設ける必要がない分、バルブ１の第２の管体１ｂに相当する領域の構造が簡単となる。従って、バルブ１の製造工程が簡略化されるので、無電極放電灯のコストを低減することができる。また、長残光性蛍光体層１３ｂが、バルブ１のうちフェライトコア２，２に覆われる部位における剥離部１１ｂ以外の部位の内壁から上述の放電路の短い領域の内壁に跨って形成されているので、無電極放電灯において消灯状態で長時間、暗所に保管された後での暗所における始動性を向上させることができるという効果がある。
【００３５】
本実施形態の無電極放電灯では、バルブ１のうち第２の管体１ｂに相当する領域については、光束の低下、発光色の相違が見られるが、第２の管体１ｂに相当する領域は第１の管体１ａに相当する領域に比べて放電路の長さが短いので、第２の管体１ｂに相当する領域は第１の管体１ａに相当する領域に比べてバルブ１全体に占める割合が小さくバルブ１の外観上の発光部分全体の光束の低下や発光色のムラには大きな影響を与えない。また、上述の長残光性蛍光体は通常の蛍光体に比べて高価ではあるが、長残光性蛍光体層１３ｂが形成される第２の管体１ｂに相当する領域は、バルブ１全体に占める割合が小さいので、コストに大きな影響はない。
【００３６】
ところで、バルブ１のうち長残光蛍光体層１３ｂが形成された第２の管体１ｂに相当する領域の発光色は、第１の管体１ａに相当する領域の発光色と相違するので、バルブ１の外観上の発光部分の発光色にムラが生じることが懸念される。
【００３７】
これに対して、本実施形態の無電極放電灯では、バルブ１のうち第２の管体１ｂに相当する領域からの光を遮光する遮光手段である金属板（図示せず）で当該第２の管体１ｂを囲むか、または当該第２の管体１ｂを照明器具２０（図５参照）で覆うことにより、第２の管体１ｂに相当する領域から放射された光が照明器具の外側に出ないようにすることができる。
【００３８】
これにより、バルブ１のうち第２の管体１ｂに相当する部分における剥離部１１ｂを除いた全体に長残光蛍光体層１３ｂを形成しながらも、バルブ１の外観上の発光部分に発光色のムラが生じることを防止することができるという効果が得られる。
【００３９】
また、バルブ１のうち第２の管体１ｂに相当する部分における剥離部１１ｂを除いた全体の内壁に塗布する蛍光体としては、通常使用される蛍光体と長残光性蛍光体とを混合したもの（例えば、通常使用される蛍光体に長残光性蛍光体を５〜１０ｗｔ％混合したもの）であっても良い。この場合、バルブ１のうち第２の管体１ｂに相当する領域の発光色を第１の管体１ａに相当する領域の発光色に近づけることができる。しかして、バルブ１の外観上の発光部分に生じる発光色のムラを抑制することができる。
【００４０】
（実施形態３）
図５に実施形態１で説明した無電極放電灯を備えた照明器具２０を示す。
【００４１】
本実施形態の照明器具２０は、平面視長方形状の板片の長手方向の両端部を板片とは直交する一方向に折曲してなる２つの折曲片を有する断面コ字状の器具本体２１と、当該器具本体２１内部に収納される実施形態１で示した無電極放電灯および点灯装置１１とを備える。図５に示すように、無電極放電灯のループ形状のバルブ１の４箇所には、４個のカプラ１２が配置されている。ここで、カプラ１２は、フェライトコア２（図１参照）の一部に誘導コイル３（図１参照）を巻回してなるものである。また、点灯装置１１は、誘導コイル３に高周波電流を供給することで無電極放電灯を点灯させるものであり、誘導コイル３に電線２３を介して電気的に接続されるものである。また、器具本体２１において一端が板片と連続する２つの折曲片の他端には、互いに離れる方向に突出して形成された鍔部２１ａ，２１ａが設けられており、ガラス板２２は、当該鍔部２１ａ，２１ａに載置された形で固定されている。
【００４２】
しかして、本実施形態の照明器具２０は、ループ形状のバルブ１を備えているにも関わらず、消灯状態で長時間、暗所に保管した後における暗所での始動性が良く、且つバルブ１の外観上の発光部分の光束の低下や発光色のムラが生じることを防止することができるという効果がある。
【００４３】
なお、本実施形態の照明器具のうち実施形態２で説明した無電極放電灯を使用したものは、器具本体２１にバルブ１のうち第２の管体１ｂに相当する領域から放射される光を遮光するために、バルブ１のうち第２の管体１ｂに相当する領域が金属板（図示せず）で囲まれている。これにより、バルブ１の外観上の発光部分に発光色のムラが生じるのを防止している。
【図面の簡単な説明】
【００４４】
【図１】実施形態１の無電極放電灯を示し、（ａ）は平面図、（ｂ）は分解した要部平面図、（ｃ）は要部平面図、である。
【図２】同上の無電極放電灯の他の構成例を示し、（ａ）は平面図、（ｂ）は要部平面図である。
【図３】同上の無電極放電灯の他の構成例を示し、（ａ）は平面図、（ｂ）は要部平面図である。
【図４】実施形態２の無電極放電灯の要部平面図である。
【図５】実施形態３の照明器具を示し、（ａ）はガラス板を取り外した状態の概略下面図、（ｂ）は概略側面図である。
【図６】従来例の無電極放電灯の一部破断した側面図である。
【符号の説明】
【００４５】
１    バルブ
１ａ  第１の管体
１ｂ  第２の管体
２    フェライトコア
３    誘導コイル
４    点灯装置
１１ａ，１１ｂ  剥離部
１２ａ，１２ｂ  蛍光体層
１３ｂ  長残光性蛍光体層
１４ｂ  排気管
【図１】
2009205880.tif 000003
【図２】
2009205880.tif 000004
【図３】
2009205880.tif 000005
【図４】
2009205880.tif 000006
【図５】
2009205880.tif 000007
【図６】
2009205880.tif 000008